【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
画像データに基づいて用紙に画像を形成する像形成手段と、
前記像形成手段により、予め決められた枚数の用紙にプロセス安定用の像形成を行った後、階調補正用の画像データに基づいて用紙に像形成を行うように制御する制御手段と、
前記階調補正用の画像データに基づいて前記像形成手段により像形成された用紙を読み取って得られた画像データと前記階調補正用の画像データとの差分データに基づいて階調補正用の変換テーブルを作成する作成手段と、
前記階調補正用の画像データに基づいて前記像形成手段により像形成する前に、格納部に格納される用紙の残量を判定する判定手段と、
前記判定手段が前記格納部に格納される用紙の残量が所定量以上でないと判定すると、前記階調補正用の画像データに基づく像形成の前に実行されるプロセス安定用の像形成を実行するか否かをユーザに確認するための表示を行う表示手段と、
を有することを特徴とする画像形成装置。
【請求項２】
前記表示手段による表示を介して前記プロセス安定用の像形成を実行しないと指示されると、前記制御手段により、前記プロセス安定用の像形成をスキップして前記階調補正用の画像データに基づいて前記像形成手段により像形成を行うように制御することを特徴とする請求項１に記載の画像形成装置。
【請求項３】
前記所定量は、少なくとも前記階調補正用の画像データに基づいて前記像形成手段により像形成される用紙の量と前記プロセス安定用の像形成で使用される用紙の量との合計に相当する量であることを特徴とする請求項１又は２に記載の画像形成装置。
【請求項４】
画像データに基づいて用紙に画像を形成する像形成手段と、
前記像形成手段により、予め決められた枚数の用紙にプロセス安定用の像形成を行った後、階調補正用の画像データに基づいて用紙に像形成を行うように制御する制御手段と、
前記階調補正用の画像データに基づいて前記像形成手段により像形成された用紙を読み取って得られた画像データと前記階調補正用の画像データとの差分データに基づいて階調補正用の変換テーブルを作成する作成手段と、
前記階調補正用の変換テーブルを作成するための処理の速度を優先させるように設定されているかどうかを判定する判定手段と、を有し、
前記判定手段が前記処理の速度を優先させるように設定されていると判定すると、前記制御手段は、前記階調補正用の画像データに基づく像形成の前に実行されるプロセス安定用の像形成をスキップすることを特徴とする画像形成装置。
【請求項５】
前記判定手段は、前記階調補正用の画像データに基づいて前記像形成手段により像形成する前に、前記像形成手段が使用する用紙の残量が所定量以上でない場合に、前記処理の速度を優先させるように設定されているかどうかを判定することを特徴とする請求項４に記載の画像形成装置。
【請求項６】
前記作成手段は、前記差分データを求める処理を複数の階調補正用の画像データに対して実行し、得られた複数の差分データに基づいて前記階調補正用の変換テーブルを作成することを特徴とする請求項１乃至５のいずれか１項に記載の画像形成装置。
【請求項７】
前記プロセス安定用の像形成は、前記像形成手段の定着プロセスを安定化させるために実行されることを特徴とする請求項１乃至６のいずれか１項に記載の画像形成装置。
【請求項８】
画像形成装置を制御する制御方法であって、
画像データに基づいて用紙に画像を形成する像形成工程と、
前記像形成工程で、予め決められた枚数の用紙にプロセス安定用の像形成を行った後、階調補正用の画像データに基づいて用紙に像形成を行うように制御する制御工程と、
前記階調補正用の画像データに基づいて前記像形成工程で像形成された用紙を読み取って得られた画像データと前記階調補正用の画像データとの差分データに基づいて階調補正用の変換テーブルを作成する作成工程と、
前記階調補正用の画像データに基づいて前記像形成工程で像形成する前に、格納部に格納される用紙の残量を判定する判定工程と、
前記判定工程で前記格納部に格納される用紙の残量が所定量以上でないと判定されると、前記階調補正用の画像データに基づく像形成の前に実行されるプロセス安定用の像形成を実行するか否かをユーザに確認するための表示を行う表示工程と、
を有することを特徴とする画像形成装置の制御方法。
【請求項９】
コンピュータを、請求項１乃至７のいずれか１項に記載の画像形成装置の各手段として機能させるためのプログラム。
【手続補正２】
【補正対象書類名】明細書
【補正対象項目名】発明の名称
【補正方法】変更
【補正の内容】
【発明の名称】画像形成装置、及びその制御方法、プログラム
【手続補正３】
【補正対象書類名】明細書
【補正対象項目名】０００１
【補正方法】変更
【補正の内容】
【０００１】
本発明は、画像データの階調を補正する機能を備えた画像形成装置、及びその制御方法、プログラムに関するものである。
【手続補正４】
【補正対象書類名】明細書
【補正対象項目名】００１０
【補正方法】変更
【補正の内容】
【００１０】
上記目的を達成するために本発明の一態様に係る画像形成装置は以下のような構成を備える。即ち、
画像データに基づいて用紙に画像を形成する像形成手段と、
前記像形成手段により、予め決められた枚数の用紙にプロセス安定用の像形成を行った後、階調補正用の画像データに基づいて用紙に像形成を行うように制御する制御手段と、
前記階調補正用の画像データに基づいて前記像形成手段により像形成された用紙を読み取って得られた画像データと前記階調補正用の画像データとの差分データに基づいて階調補正用の変換テーブルを作成する作成手段と、
前記階調補正用の画像データに基づいて前記像形成手段により像形成する前に、格納部に格納される用紙の残量を判定する判定手段と、
前記判定手段が前記格納部に格納される用紙の残量が所定量以上でないと判定すると、前記階調補正用の画像データに基づく像形成の前に実行されるプロセス安定用の像形成を実行するか否かをユーザに確認するための表示を行う表示手段と、を有することを特徴とする。
【手続補正５】
【補正対象書類名】明細書
【補正対象項目名】００３５
【補正方法】変更
【補正の内容】
【００３５】
次にＳ６０６に進みＣＰＵ２０１は、ユーザがボタン７０２を押してプロセス安定用のチャートの印刷を実行すると指示したかどうかを判定し、その場合はＳ６０７に進む。一方、ユーザがボタン７０３を押してプロセス安定用のチャートの印刷を実行しないと指示した場合はＳ６０９に進む。Ｓ６０７でＣＰＵ２０１は、ＤＲＡＭ２０４の領域にプロセス安定用のチャートの画像データを作成する。そしてＳ６０８に進みＣＰＵ２０１は、ＤＲＡＭ２０４に作成したプロセス安定用のチャートの画像データを画像処理部２０３、バスコントローラ２０７、プリンタＩ／Ｆ２１３経由でプリンタ部２１４に転送する。そしてプリンタ部２１４により、プロセス安定用のチャートを、指定された枚数分印刷する。
【手続補正６】
【補正対象書類名】明細書
【補正対象項目名】００５０
【補正方法】変更
【補正の内容】
【００５０】
一方、Ｓ９０４でＣＰＵ２０１が、用紙の残量枚数が全てのチャートの印刷枚数よりも少ないと判定するとＳ９０５に進み、ＣＰＵ２０１は、残量枚数が階調測定用のチャートを印刷する枚数以上かどうかを判定する。Ｓ９０５でＣＰＵ２０１が、残量枚数が階調測定用のチャートを印刷する枚数以上であると判定するとＳ９０６に進み、残量枚数が階調測定用のチャートを印刷する枚数以上でないと判定するとＳ９０７に進む。Ｓ９０６でＣＰＵ２０１は、前述の図８のＳ８０５と同様にして速度優先が設定されているかどうかを判定し、速度優先が設定されていればＳ９１１に進んで、階調測定用のチャートの印刷処理に進む。一方、Ｓ９０６で速度優先が設定されていなければＳ９０７に進み、ＣＰＵ２０１は、用紙なしの警告画面を表示部３０４に表示して、ユーザに用紙の補充を促す。そしてＳ９０８でＣＰＵ２０１は、ユーザにより給紙カセット段の用紙が補充されたことを検知するとＳ９０９に進み、プロセス安定用のチャートのデータを作成して印刷する。
【手続補正７】
【補正対象書類名】明細書
【補正対象項目名】００５５
【補正方法】変更
【補正の内容】
【００５５】
Ｓ１００３でＣＰＵ２０１は、プロセス安定用のチャートを印刷すると判定するとＳ１００４に進み、ＣＰＵ２０１は、前述の図８のＳ８０５と同様にして速度優先が設定されているかどうかを判定する。速度優先が設定されている場合はＳ１００５に進み、ＣＰＵ２０１は、給紙した用紙が、給紙カセット段の最後の用紙であったかどうかを、用紙なし検知センサ１２０（図１）の検知信号に基づいて判定する。即ち、カセット段から１枚の用紙を給紙したことにより、そのカセット給紙段が用紙なしになったかどうかを判定する。Ｓ１００５で最後の用紙でないと判定するとＳ１００９に進んで、プロセス安定用のチャートの印刷処理に進むが、最後の用紙と判定するとＳ１００６に進む。Ｓ１００６でＣＰＵ２０１は、階調補正用のチャートの印刷及び読み込みが所定回数実行されているかどうかを判定する。ここで所定回数実行されており最後の自動階調補正であると判定するとＳ１０１１に進み、ＣＰＵ２０１は、プロセス安定用のチャートの印刷をスキップして階調測定用のチャートを印刷する。一方、Ｓ１００６で最後の自動階調補正でないと判定するとＳ１００７に進み、ＣＰＵ２０１は図９のＳ９０７，Ｓ９０８と同様にして、用紙が足りないため表示部３０４に用紙なしの警告画面を表示する。そしてＳ１００８で、給紙カセット段に用紙が補充されるのを待ち用紙が補充されると、即ち、その給紙カセット段での用紙なしが解消されるとＳ１００９に進み、プロセス安定用のチャートの印刷処理に進む。
【手続補正８】
【補正対象書類名】明細書
【補正対象項目名】００５６
【補正方法】変更
【補正の内容】
【００５６】
この実施形態４によれば、速度優先時に、用紙なしで自動階調補正が中断するのを、できる限り防ぐことができる。